(57)【要約】【課題】肩部において衣服との付着が生じることなく、簡易な構造で身丈の調節が可能な安全ベストを提供する。【解決手段】雄スナップボタン１４を肩部７に有する前身ごろ２と、雌スナップボタン１５を肩部１１に有する後身ごろ３とを備え、雄スナップボタン１４、雌スナップボタン１５の内の少なくとも一方を丈方向に間隔を空けて複数設け、雄スナップボタン１４と雌スナップボタン１５との嵌合箇所を変えることにより安全ベストの身丈を調節する構成とした。【選択図】図１
2008303478.tif 000002
【特許請求の範囲】
【請求項１】
光反射体或いは発光体を有する安全ベストであって、
雄ボタンと雌ボタンの内のどちらか一方を肩部に有する前身ごろと、どちらか他方を肩部に有する後身ごろとを備え、
前記雄ボタンと前記雌ボタンの内の少なくとも一方を丈方向に間隔を空けて複数設け、
前記雄ボタンと前記雌ボタンとの嵌合箇所を変えることによりベストの身丈を調節する構成としたことを特徴とする安全ベスト。
【請求項２】
前記雄ボタンは雄スナップボタンであり、前記雌ボタンは雌スナップボタンであって、それぞれ肩部の幅方向に間隔を空けて一対として設けられていることを特徴とする請求項１に記載の安全ベスト。
【請求項３】
前記雄スナップボタンと前記雌スナップボタンとは、それぞれ丈方向に互いに同じピッチで複数設けられていることを特徴とする請求項２に記載の安全ベスト。
【請求項４】
前記前身ごろと後身ごろとは、肩部と腰部とで着脱自在な互いに別体の部材であって、
ベストの型形状が互いに同一であることを特徴とする請求項１ないし請求項３のいずれかに記載の安全ベスト。
【発明の詳細な説明】
【技術分野】
【０００１】
本発明は、路上での交通規制や屋外工事などにおいて作業者が着用する安全ベストに関するものである。
【背景技術】
【０００２】
夜間視認用の光反射体或いは発光体を有する安全ベストとして、従来、作業者の身長差を考慮して身丈の長さ別の仕様を複数設ける場合がある。なお、安全ベストの一例としては特許文献１が挙げられる。
【特許文献１】特開平７−１２１１３０号公報
【発明の開示】
【発明が解決しようとする課題】
【０００３】
しかしながら、製品として複数の仕様が存在することは製造コストや製品流通管理の点で不利となり、また、現場においては、不特定多数の作業者に対して各人に適合する仕様のものがうまく行き渡らないという事態も生じ得る。そこで、本出願人は、身丈の調節機能を付加することで製品を単一仕様化することを試みた。これによれば着用途中で身丈の調節ができるので、例えば、途中から腰に工具袋を取り付けたときに、身丈が長いままだとベストの下縁が工具袋にかかってしまい、工具が取り出しにくくなるところ、身丈を短く調節することでこの問題に迅速に対処できる。
【０００４】
身丈の調節機能としては、肩部で前身ごろと後身ごろとを面ファスナにより着脱自在に連結する構造が考えられる。つまり、面ファスナの重なり代を変更することでベストの身丈を調節する構造である。しかし、面ファスナを用いる方法では、図４（身丈の調節機能として面ファスナを用いた場合の側面作用図である）に示すように、身丈を長く調節したとき、つまり面ファスナ２１Ａ、２１Ｂの重なり代を小さくしたとき、一方の余った面ファスナ２１Ａがベストの下に着ている衣服に付着しやすいという問題がある。
【０００５】
身長差や前記工具袋の問題を考慮すると、身丈の調節寸法としては１０ｃｍ以上確保することが望ましく、この場合には面ファスナ２１Ａ、２１Ｂの長さは、折り返し分の倍として２０ｃｍ以上必要となってしまうことから、面ファスナ２１Ａ、２１Ｂの重なり代を小さくしたときにはかなりの長さにわたって面ファスナ２１Ａが余り、衣服に付着しやすい状態となってしまう。肩部において衣服が安全ベストに付着すると、肩や腕の動きに対して衣服が追従しづらくなり、作業者は違和感を感じやすくなる。
【０００６】
本発明はこのような問題を解決するために創作されたものであり、肩部において衣服との付着が生じることなく、簡易な構造で身丈の調節が可能な安全ベストを提供することを目的としている。
【課題を解決するための手段】
【０００７】
本発明は、前記課題を解決するため、光反射体或いは発光体を有する安全ベストであって、雄ボタンと雌ボタンの内のどちらか一方を肩部に有する前身ごろと、どちらか他方を肩部に有する後身ごろとを備え、前記雄ボタンと前記雌ボタンの内の少なくとも一方を丈方向に間隔を空けて複数設け、前記雄ボタンと前記雌ボタンとの嵌合箇所を変えることによりベストの身丈を調節する構成としたことを特徴とする安全ベストとした。
【０００８】
この安全ベストによれば、肩部において安全ベストと下に着ている衣服との付着が生じることなく、簡易な構造で身丈を調節することができる。
【０００９】
また本発明では、前記雄ボタンは雄スナップボタンであり、前記雌ボタンは雌スナップボタンであって、それぞれ肩部の幅方向に間隔を空けて一対として設けられていることを特徴とする安全ベストとした。
【００１０】
この安全ベストによれば、肩部の連結強度が幅方向にわたり安定して得られる。ボタンとしてスナップボタンを利用することで経済的な安全ベストとなり、またボタンの嵌合作業も楽に行えるので、身丈の調節作業が容易となる。
【００１１】
また本発明では、前記雄スナップボタンと前記雌スナップボタンとは、それぞれ丈方向に互いに同じピッチで複数設けられていることを特徴とする安全ベストとした。
【００１２】
この安全ベストによれば、身丈を短く調節したときでも、雄スナップボタンと雌スナップボタンとを丈方向に関して複数の箇所で嵌合させることができるため、肩部の先端側を常に相手方の肩部に固定させることができ、余長部を無くすことができる。
【００１３】
また本発明では、前記前身ごろと後身ごろとは、肩部と腰部とで着脱自在な互いに別体の部材であって、ベストの型形状が互いに同一であることを特徴とする安全ベストとした。
【００１４】
この安全ベストによれば、製造コストを低減させることができ、経済的な安全ベストを構築できる。
【発明の効果】
【００１５】
本発明によれば、肩部において衣服との付着が生じることなく、簡易な構造で身丈の調節が可能となる。
【発明を実施するための最良の形態】
【００１６】
本発明の実施の形態について図面を参照しながら説明する。図１は本発明に係る安全ベストの外観斜視図、図２（ａ）、（ｂ）はそれぞれ前身ごろ、後身ごろの正面図、図３は安全ベストの側面作用図である。
【００１７】
本実施形態の安全ベスト１は、前身ごろ２と後身ごろ３とが互いに別体の部材として構成されている。前身ごろ２および後身ごろ３は、例えば網目状に編んだ繊維体等から構成されるものであり、それぞれに光反射体としての反射テープ４が適宜な位置に形成されている。本発明では、光反射体に加え、または光反射体に替えて豆電球やＬＥＤ等の発光体を備えた安全ベスト１としてもよい。
【００１８】
図２（ａ）に示すように、前身ごろ２は、例えば左右に分割された構造であり、腰帯部５において面ファスナ６等により互いに連結される。面ファスナ６に替えてボタンにより連結させる構成としてもよい。また、左右に分割することなく一体の前身ごろ２としてもよい。
【００１９】
前身ごろ２は、腰帯部５からＶ字状に立ち上がり形成され、それぞれの上部は肩部７を構成する。なお、胸の辺りにおいて左右の身ごろには身ごろ開き止め部材８が掛け渡される。身ごろ開き止め部材８と前身ごろ２とは面ファスナ９等により連結される。
【００２０】
腰帯部５の左右端には、それぞれ後身ごろ３側と連結するためのボタンが取り付けられており、本実施形態では、胴周り寸法を調節する目的で複数のスナップボタン１０を取り付けている。
【００２１】
図２（ｂ）に示すように、後身ごろ３は左右に分割されることなく一体の身ごろとして形成されている。後身ごろ３は、前身ごろ２に比べて正面の開きが少ない形状となっており、左右上部には肩部１１が形成されている。腰帯部１２の左右端には、前身ごろ２側のスナップボタン１０と嵌合するスナップボタン１３が取り付けられている。
【００２２】
本発明は、前身ごろ２の肩部７に雄ボタンと雌ボタンの内のどちらか一方を取り付け、後身ごろ３の肩部１１にはどちらか他方を取り付け、前記雄ボタンと前記雌ボタンの内の少なくとも一方を丈方向に間隔を空けて複数設け、前記雄ボタンと前記雌ボタンとの嵌合箇所を変えることにより安全ベスト１の身丈を調節する構成としたことを主な特徴とするものである。丈方向とは図２における上下方向成分を含むものをいう。
【００２３】
本実施形態では、雄ボタンを雄スナップボタン１４とし、雌ボタンを雌スナップボタン１５としている。例えば、雄スナップボタン１４は前身ごろ２側に取り付けられ、雌スナップボタン１５が後身ごろ３側に取り付けられる。勿論、雄スナップボタン１４を後身ごろ３側に取り付け、雌スナップボタン１５を前身ごろ２側に取り付けてもよい。雄スナップボタン１４、雌スナップボタン１５の材質は合成樹脂や金属などであり、特に経済性の点から合成樹脂製のものが望ましい。
【００２４】
雄スナップボタン１４は肩部７の幅方向に間隔を空けて一対として設けられ、この一対の雄スナップボタン１４が丈方向に間隔を空けた３箇所に設けられている。図では、肩部７の最上部側に取り付けた一対の雄スナップボタン１４から順に符号１４Ａ、１４Ｂ、１４Ｃを付している。
【００２５】
雌スナップボタン１５も肩部１１の幅方向に間隔を空けて一対として設けられ、この一対の雌スナップボタン１５が丈方向に間隔を空けた３箇所に設けられている。図では、肩部１１の最上部側に取り付けた一対の雌スナップボタン１５から順に符号１５Ａ、１５Ｂ、１５Ｃを付している。雌スナップボタン１５Ａ、１５Ｂ、１５Ｃのピッチｐ２は雄スナップボタン１４Ａ、１４Ｂ、１４Ｃのピッチｐ１と同じである。
【００２６】
以上により、身丈を長くするときには、図３（ａ）に示すように、雄スナップボタン１４Ａと雌スナップボタン１５Ａとを嵌合させる。身丈を中程度の長さとするときには、雄スナップボタン１４Ａと雌スナップボタン１５Ｂとを嵌合させるとともに、雄スナップボタン１４Ｂと雌スナップボタン１５Ａとを嵌合させる。身丈を短くするときには、図３（ｂ）に示すように、雄スナップボタン１４Ａと雌スナップボタン１５Ｃとを嵌合させ、雄スナップボタン１４Ｂと雌スナップボタン１５Ｂとを嵌合させ、雄スナップボタン１４Ｃと雌スナップボタン１５Ａとを嵌合させる。
【００２７】
なお、「前記雄ボタンと前記雌ボタンの内の少なくとも一方を丈方向に間隔を空けて複数設け、」とは、例えば雄スナップボタン１４については雄スナップボタン１４Ａのみとし、雌スナップボタン１５については丈方向に間隔を空けて１５Ａ、１５Ｂ、１５Ｃとして設けるような場合を示している。このように構成しても、雄スナップボタン１４Ａをそれぞれ雌スナップボタン１５Ａ、１５Ｂ、１５Ｃに嵌合させることで身丈の調節が可能となる。ただし、この構造では雄スナップボタン１４Ａを雌スナップボタン１５Ｂ、１５Ｃに嵌合させたとき、肩部１１の先端側が肩部７側に固定されず、余長部が生ずることとなる。しかし、面ファスナを用いる構造と比べれば、衣服に付着するおそれがないので有効である。
【００２８】
以上のように、雄ボタンと雌ボタンの内のどちらか一方を肩部７に有する前身ごろ２と、どちらか他方を肩部１１に有する後身ごろ３とを備え、雄ボタンと雌ボタンの内の少なくとも一方を丈方向に間隔を空けて複数設け、雄ボタンと雌ボタンの嵌合箇所を変えることにより身丈を調節する構成とすれば、肩部７、１１において安全ベスト１と下に着ている衣服との付着が生じることなく、簡易な構造で身丈の調節が可能となる。例えば、身丈の調節幅を１０ｃｍ以上に容易に設定することができる。
なお、本発明のボタン嵌合に対する補助として、肩部７の先端と肩部１１の先端に互いを連結させる面ファスナを別途取り付けてもよい。
【００２９】
また、雄ボタンを雄スナップボタン１４とし、雌ボタンを雌スナップボタン１５とし、それぞれ肩部７、１１の幅方向に間隔を空けて一対として設ける構成とすれば、肩部７、１１の連結強度が幅方向にわたり安定して得られる。ボタンとしてスナップボタンを利用することで経済的な安全ベスト１となり、またボタンの嵌合作業も楽に行えるので、身丈の調節作業が容易となる。
【００３０】
また、雄スナップボタン１４と雌スナップボタン１５とを、それぞれ丈方向に互いに同じピッチ（ｐ１＝ｐ２）で複数設ける構成とすれば、図３（ｂ）に示すように身丈を短く調節したときでも、雄スナップボタン１４と雌スナップボタン１５とを丈方向に関して複数の箇所で嵌合させることができるため、肩部７と肩部１１の先端側を常に相手方に固定させることができ、余長部を無くすことができる。
【００３１】
さらに、前身ごろ２と後身ごろ３とが、肩部７、１１と腰部（腰帯部５、１２）とで着脱自在に構成された本実施形態においては、図示はしないが、前身ごろ２と後身ごろ３の各ベストの型形状（外郭形状）を互いに同一にすれば、製造コストを低減させることができ、経済的な安全ベスト１を構築できる。
【００３２】
以上、本発明について好適な実施形態を説明した。ボタンの型式としては、ボタンを切れ込み等のボタン孔に挿通して係止させる型式も本発明に包含されるものである。この場合、係止させるボタンが請求項に記載の雄ボタンに相当し、ボタン孔が請求項に記載の雌ボタンに相当するものとする。その他、本発明はその趣旨を逸脱しない範囲で適宜に設計変更が可能である。例えば、丈方向に関するボタンの嵌合箇所の数、すなわち調節段数は説明した３段階に限られず、２段階でもよいし、４段階以上でもよい。
【図面の簡単な説明】
【００３３】
【図１】本発明に係る安全ベストの外観斜視図である。
【図２】（ａ）、（ｂ）はそれぞれ前身ごろ、後身ごろの正面図である。
【図３】安全ベストの側面作用図である。
【図４】身丈の調節機能として面ファスナを用いた場合の側面作用図である。
【符号の説明】
【００３４】
１      安全ベスト
２      前身ごろ
３      後身ごろ
７      肩部
１１      肩部
１４      雄スナップボタン（雄ボタン）
１５      雌スナップボタン（雌ボタン）
【図１】
2008303478.tif 000003
【図２】
2008303478.tif 000004
【図３】
2008303478.tif 000005
【図４】
2008303478.tif 000006